(57)【要約】【課題】宛先別に不達確率を算出し、ＦＡＸ送信の宛先が指定された際に送信不達となる可能性が高い旨を通知するファクシミリ装置、ファクシミリ方法、プログラム及び記録媒体を提供する。【解決手段】読取り制御部５、画像メモリ６、圧縮復調部７、記憶部８、通信制御部９、ＵＩ（ユーザインターフェイス）１０、送信制御部１１、不達確率リスト１２、アドレス帳１４、初期設定テーブル１５、一定値越えリスト１３、不達可能性判別部１６、送信部１７、不達確率算出部１８を主な構成とするファクシミリ装置で、ＦＡＸ送信の際、ＵＩ１０から送信宛先が入力されると、不達可能性判別部１６は、その宛先が記憶部８にある一定値越えリスト１３に登録されているかどうか確認し、登録されていたらＵＩ１０にその旨を表示する等してユーザに通知する。【選択図】図２
2008022279.tif 000002
【特許請求の範囲】
【請求項１】
宛先を記憶する宛先記憶手段と、
画像データを送信する送信手段と、
前記送信手段により送信する際の宛先を入力する宛先入力手段と、を備えるファクシミリ装置であって、
前記宛先ごとに、不達となる確率を計算する不達確率算出手段と、
前記宛先ごとに、送信した回数及び前記不達確率を記憶する不達確率記憶手段と、
前記不達確率のうち、一定値を越えた不達確率の宛先を記憶する一定値越え記憶手段と、
前記入力指定手段により入力された宛先が、前記一定値越え記憶手段に記憶されている宛先であるか判別する一定値越え判別手段と、
前記一定値越え判別手段により、前記入力された宛先が、前記一定値越え記憶手段に記憶されている宛先であると判別したとき、前記一定値越え記憶手段に前記入力された宛先が記憶されている旨を通知する通知手段と、を備えることを特徴とするファクシミリ装置。
【請求項２】
前記通知手段は、前記入力された宛先の不達確率を通知することを特徴とする請求項１記載のファクシミリ装置。
【請求項３】
前記一定値の値を設定、変更する一定値設定変更手段を備えることを特徴とする請求項１又は２記載のファクシミリ装置。
【請求項４】
前記一定値設定変更手段は、所定の場合にのみ設定、変更可能とすることを特徴とする請求項３記載のファクシミリ装置。
【請求項５】
前記所定の場合は、パスワードを入力した場合であることを特徴とする請求項４記載のファクシミリ装置。
【請求項６】
前記入力された宛先が、前記一定値越え記憶手段に記憶されている宛先であるとき、送信する画像データを記憶する不達文書保持手段を備えることを特徴とする請求項１から５のいずれか１項記載のファクシミリ装置。
【請求項７】
前記一定値越え記憶手段は、記憶している宛先のうち、不達確率が一定値以下になった宛先を削除することを特徴とする請求項１から６のいずれか１項記載のファクシミリ装置。
【請求項８】
前記不達確率算出手段は、宛先ごとに不達となった理由を認識し、その不達理由が、今までその宛先に送信して不達となった全不達理由のうち何割を占めるか、不達理由の割合を算出し、
前記不達確率記憶手段は、宛先ごとに、前記不達理由及び不達理由の割合を記憶し、
前記通知手段は、前記一定値越え判別手段により、前記入力された宛先が前記一定値越え記憶手段に記憶されている宛先であると判別したとき、前記不達理由及び不達理由の割合を通知することを特徴とする請求項１から７のいずれか１項記載のファクシミリ装置。
【請求項９】
前記通知手段は、特定の不達理由のみ通知することを特徴とする請求項８記載のファクシミリ装置。
【請求項１０】
前記不達確率算出手段は、各宛先の不達確率を時間帯ごとに算出し、
前記不達確率記憶手段は、前記時間帯ごとに算出した各宛先の不達確率を記憶し、
前記一定値越え記憶手段は、時間帯ごとに、一定値を越えた不達確率の宛先を記憶し、
前記一定値越え判別手段は、前記入力された宛先が、送信する時間帯に前記一定値越え記憶手段に記憶されているか判別し、
前記通知手段は、前記一定値越え判別手段により、前記入力された宛先が送信する時間帯の前記一定値越え記憶手段に記憶されている宛先であると判別したとき、前記一定値越え記憶手段に記憶されている旨を通知することを特徴とする請求項１から９のいずれか１項記載のファクシミリ装置。
【請求項１１】
前記通知手段は、他の時間帯の不達確率を通知することを特徴とする請求項１０記載のファクシミリ装置。
【請求項１２】
前記送信手段は、送信が失敗したとき、前記不達確率記憶手段に記憶する中で、不達となる確率が最も低い時間帯に送信時刻を変更し、変更した時刻に送信することを特徴とする請求項１０記載のファクシミリ装置。
【請求項１３】
前記通知手段は、新たに前記一定値越え記憶手段に宛先が記憶されたとき、前記一定値越え記憶手段に新たに宛先が記憶された旨を通知することを特徴とする請求項１から１２のいずれか１項記載のファクシミリ装置。
【請求項１４】
前記宛先記憶手段は、記憶している宛先のうち、前記一定値越え記憶手段に記憶されている宛先には特定の印を付け、前記一定値越え記憶手段に記憶されている宛先が消去されたときは、前記特定の印を削除することを特徴とする請求項１から１３のいずれか１項記載のファクシミリ装置。
【請求項１５】
宛先を記憶する宛先記憶工程と、
画像データを送信する送信工程と、
前記送信工程により送信する際の宛先を入力する宛先入力工程と、を備えるファクシミリ方法であって、
前記宛先ごとに、不達となる確率を計算する不達確率算出工程と、
前記宛先ごとに、送信した回数及び前記不達確率を記憶する不達確率記憶工程と、
前記不達確率のうち、一定値を越えた不達確率の宛先を記憶する一定値越え記憶工程と、
前記入力指定工程により入力された宛先が、前記一定値越え記憶工程に記憶されている宛先であるか判別する一定値越え判別工程と、
前記一定値越え判別工程により、前記入力された宛先が、前記一定値越え記憶工程に記憶されている宛先であると判別したとき、前記一定値越え記憶工程に前記入力された宛先が記憶されている旨を通知する通知工程と、を備えることを特徴とするファクシミリ方法。
【請求項１６】
前記通知工程は、前記入力された宛先の不達確率を通知することを特徴とする請求項１５記載のファクシミリ方法。
【請求項１７】
前記一定値の値を設定、変更する一定値設定変更工程を備えることを特徴とする請求項１５又は１６記載のファクシミリ方法。
【請求項１８】
前記一定値設定変更工程は、所定の場合にのみ設定、変更可能とすることを特徴とする請求項１７記載のファクシミリ方法。
【請求項１９】
前記所定の場合は、パスワードを入力した場合であることを特徴とする請求項１８記載のファクシミリ方法。
【請求項２０】
前記入力された宛先が、前記一定値越え記憶工程に記憶されている宛先であるとき、送信する画像データを記憶する不達文書保持工程を備えることを特徴とする請求項１５から１９のいずれか１項記載のファクシミリ方法。
【請求項２１】
前記一定値越え記憶工程は、記憶している宛先のうち、不達確率が一定値以下になった宛先を削除することを特徴とする請求項１５から２０のいずれか１項記載のファクシミリ方法。
【請求項２２】
前記不達確率算出工程は、宛先ごとに不達となった理由を認識し、その不達理由が、今までその宛先に送信して不達となった全不達理由のうち何割を占めるか、不達理由の割合を算出し、
前記不達確率記憶工程は、宛先ごとに、前記不達理由及び不達理由の割合を記憶し、
前記通知工程は、前記一定値越え判別工程により、前記入力された宛先が前記一定値越え記憶工程に記憶されている宛先であると判別したとき、前記不達理由及び不達理由の割合を通知することを特徴とする請求項１５から２１のいずれか１項記載のファクシミリ方法。
【請求項２３】
前記通知工程は、特定の不達理由のみ通知することを特徴とする請求項２２記載のファクシミリ方法。
【請求項２４】
前記不達確率算出工程は、各宛先の不達確率を時間帯ごとに算出し、
前記不達確率記憶工程は、前記時間帯ごとに算出した各宛先の不達確率を記憶し、
前記一定値越え記憶工程は、時間帯ごとに、一定値を越えた不達確率の宛先を記憶し、
前記一定値越え判別工程は、前記入力された宛先が、送信する時間帯に前記一定値越え記憶工程に記憶されているか判別し、
前記通知工程は、前記一定値越え判別工程により、前記入力された宛先が送信する時間帯の前記一定値越え記憶工程に記憶されている宛先であると判別したとき、前記一定値越え記憶工程に記憶されている旨を通知することを特徴とする請求項１５から２３のいずれか１項記載のファクシミリ方法。
【請求項２５】
前記通知工程は、他の時間帯の不達確率を通知することを特徴とする請求項２４記載のファクシミリ方法。
【請求項２６】
前記送信工程は、送信が失敗したとき、前記不達確率記憶工程に記憶する中で、不達となる確率が最も低い時間帯に送信時刻を変更し、変更した時刻に送信することを特徴とする請求項２４記載のファクシミリ方法。
【請求項２７】
前記通知工程は、新たに前記一定値越え記憶工程に宛先が記憶されたとき、前記一定値越え記憶工程に新たに宛先が記憶された旨を通知することを特徴とする請求項１５から２６のいずれか１項記載のファクシミリ方法。
【請求項２８】
前記宛先記憶工程は、記憶している宛先のうち、前記一定値越え記憶工程に記憶されている宛先には特定の印を付け、前記一定値越え記憶工程に記憶されている宛先が消去されたときは、前記特定の印を削除することを特徴とする請求項１５から２７のいずれか１項記載のファクシミリ方法。
【請求項２９】
宛先を記憶する宛先記憶処理と、
画像データを送信する送信処理と、
前記送信処理により送信する際の宛先を入力する宛先入力処理と、をコンピュータに実行させることを特徴とするプログラムであって、
前記宛先ごとに、不達となる確率を計算する不達確率算出処理と、
前記宛先ごとに、送信した回数及び前記不達確率を記憶する不達確率記憶処理と、
前記不達確率のうち、一定値を越えた不達確率の宛先を記憶する一定値越え記憶処理と、
前記入力指定処理により入力された宛先が、前記一定値越え記憶処理に記憶されている宛先であるか判別する一定値越え判別処理と、
前記一定値越え判別処理により、前記入力された宛先が、前記一定値越え記憶処理に記憶されている宛先であると判別したとき、前記一定値越え記憶処理に前記入力された宛先が記憶されている旨を通知する通知処理と、をコンピュータに実行させることを特徴とするプログラム。
【請求項３０】
前記通知処理は、前記入力された宛先の不達確率を通知することを特徴とする請求項２９記載のプログラム。
【請求項３１】
前記一定値の値を設定、変更する一定値設定変更処理をコンピュータに実行させることを特徴とする請求項２９又は３０記載のプログラム。
【請求項３２】
前記一定値設定変更処理は、所定の場合にのみ設定、変更可能とすることを特徴とする請求項３１記載のプログラム。
【請求項３３】
前記所定の場合は、パスワードを入力した場合であることを特徴とする請求項３２記載のプログラム。
【請求項３４】
前記入力された宛先が、前記一定値越え記憶処理に記憶されている宛先であるとき、送信する画像データを記憶する不達文書保持処理をコンピュータに実行させることを特徴とする請求項２９から３３のいずれか１項記載のプログラム。
【請求項３５】
前記一定値越え記憶処理は、記憶している宛先のうち、不達確率が一定値以下になった宛先を削除することを特徴とする請求項２９から３４のいずれか１項記載のプログラム。
【請求項３６】
前記不達確率算出処理は、宛先ごとに不達となった理由を認識し、その不達理由が、今までその宛先に送信して不達となった全不達理由のうち何割を占めるか、不達理由の割合を算出し、
前記不達確率記憶処理は、宛先ごとに、前記不達理由及び不達理由の割合を記憶し、
前記通知処理は、前記一定値越え判別処理により、前記入力された宛先が前記一定値越え記憶処理に記憶されている宛先であると判別したとき、前記不達理由及び不達理由の割合を通知することを特徴とする請求項２９から３５のいずれか１項記載のプログラム。
【請求項３７】
前記通知処理は、特定の不達理由のみ通知することを特徴とする請求項３６記載のプログラム。
【請求項３８】
前記不達確率算出処理は、各宛先の不達確率を時間帯ごとに算出し、
前記不達確率記憶処理は、前記時間帯ごとに算出した各宛先の不達確率を記憶し、
前記一定値越え記憶処理は、時間帯ごとに、一定値を越えた不達確率の宛先を記憶し、
前記一定値越え判別処理は、前記入力された宛先が、送信する時間帯に前記一定値越え記憶処理に記憶されているか判別し、
前記通知処理は、前記一定値越え判別処理により、前記入力された宛先が送信する時間帯の前記一定値越え記憶処理に記憶されている宛先であると判別したとき、前記一定値越え記憶処理に記憶されている旨を通知することを特徴とする請求項２９から３７のいずれか１項記載のプログラム。
【請求項３９】
前記通知処理は、他の時間帯の不達確率を通知することを特徴とする請求項３８記載のプログラム。
【請求項４０】
前記送信処理は、送信が失敗したとき、前記不達確率記憶処理に記憶する中で、不達となる確率が最も低い時間帯に送信時刻を変更し、変更した時刻に送信することを特徴とする請求項３８記載のプログラム。
【請求項４１】
前記通知処理は、新たに前記一定値越え記憶処理に宛先が記憶されたとき、前記一定値越え記憶処理に新たに宛先が記憶された旨を通知することを特徴とする請求項２９から４０のいずれか１項記載のプログラム。
【請求項４２】
前記宛先記憶処理は、記憶している宛先のうち、前記一定値越え記憶処理に記憶されている宛先には特定の印を付け、前記一定値越え記憶処理に記憶されている宛先が消去されたときは、前記特定の印を削除することを特徴とする請求項２９から４１のいずれか１項記載のプログラム。
【請求項４３】
請求項２９から４２のいずれか１項記載のコンピュータに実行させるための処理を記録したコンピュータ読取り可能な記録媒体。
【発明の詳細な説明】
【技術分野】
【０００１】
本発明は、ファクシミリ装置、ファクシミリ方法、プログラム及び記録媒体に関し、特に送信不達の可能性を通知するファクシミリ装置、ファクシミリ方法、プログラム及び記録媒体に関する。
【背景技術】
【０００２】
従来、ファクシミリ装置は大容量のメモリを有し、メモリに画情報を一旦蓄積した後に、発呼、送信するようにしている。そしてこのファクシミリ装置においては、相手先が送信中等のために送信が失敗すると、一定時間後に、メモリに記憶された再発呼時間に従い、同画情報を再送信する。しかし、予め設定された再発呼回数だけしか再発呼しないため、再発呼による送信を全て失敗する（送信不達）可能性が高いといった問題があった。
【０００３】
送信不達となることはユーザにとって望ましくない状態であり、後に不達に気付いた場合に再度送信動作を行わなくてはならなかった。また、よく送信不達となる宛先があったとしても、ユーザ側で記憶しておかなければならなかった。
【０００４】
そこで近年、通信履歴を一定期間遡りその一定期間内の不達回数に基づいて、再発呼回数を変更することにより、原稿を確実に送信することができるファクシミリ装置が提案されている（例えば、特許文献１参照）。
【特許文献１】特開平６−７８１２９号公報
【発明の開示】
【発明が解決しようとする課題】
【０００５】
しかしながら、上記のような技術では、再発呼回数を変更するだけであり、ユーザが送信前に判断することが出来ない。また、アドレス帳等の設定が間違っているため不達となった場合は、その失敗したユーザが周囲に情報を展開しないと、別のユーザがまた同じ失敗をしてしまうことが考えられる。
【０００６】
本発明はこのような状況に鑑みてなされたものであり、指定された宛先別に不達確率を算出し、ＦＡＸ送信の宛先が指定された際に、送信不達となる可能性が高い（不達確率が一定値を越えている）旨を通知し、ユーザの使いやすさをさらに向上させることを目的としている。
【課題を解決するための手段】
【０００７】
請求項１記載の発明は、宛先を記憶する宛先記憶手段と、画像データを送信する送信手段と、前記送信手段により送信する際の宛先を入力する宛先入力手段と、を備えるファクシミリ装置であって、前記宛先ごとに、不達となる確率を計算する不達確率算出手段と、前記宛先ごとに、送信した回数及び前記不達確率を記憶する不達確率記憶手段と、前記不達確率のうち、一定値を越えた不達確率の宛先を記憶する一定値越え記憶手段と、前記入力指定手段により入力された宛先が、前記一定値越え記憶手段に記憶されている宛先であるか判別する一定値越え判別手段と、前記一定値越え判別手段により、前記入力された宛先が、前記一定値越え記憶手段に記憶されている宛先であると判別したとき、前記一定値越え記憶手段に前記入力された宛先が記憶されている旨を通知する通知手段と、を備えることを特徴とするファクシミリ装置である。
【０００８】
請求項２記載の発明は、請求項１記載の装置において、前記通知手段は、前記入力された宛先の不達確率を通知することを特徴とする。
【０００９】
請求項３記載の発明は、請求項１又は２記載の装置において、前記一定値の値を設定、変更する一定値設定変更手段を備えることを特徴とする。
【００１０】
請求項４記載の発明は、請求項３記載の装置において、前記一定値設定変更手段は、所定の場合にのみ設定、変更可能とすることを特徴とする。
【００１１】
請求項５記載の発明は、請求項４記載の装置において、前記所定の場合は、パスワードを入力した場合であることを特徴とする。
【００１２】
請求項６記載の発明は、請求項１から５のいずれか１項記載の装置において、前記入力された宛先が、前記一定値越え記憶手段に記憶されている宛先であるとき、送信する画像データを記憶する不達文書保持手段を備えることを特徴とする。
【００１３】
請求項７記載の発明は、請求項１から６のいずれか１項記載の装置において、前記一定値越え記憶手段は、記憶している宛先のうち、不達確率が一定値以下になった宛先を削除することを特徴とする。
【００１４】
請求項８記載の発明は、請求項１から７のいずれか１項記載の装置において、前記不達確率算出手段は、宛先ごとに不達となった理由を認識し、その不達理由が、今までその宛先に送信して不達となった全不達理由のうち何割を占めるか、不達理由の割合を算出し、前記不達確率記憶手段は、宛先ごとに、前記不達理由及び不達理由の割合を記憶し、前記通知手段は、前記一定値越え判別手段により、前記入力された宛先が前記一定値越え記憶手段に記憶されている宛先であると判別したとき、前記不達理由及び不達理由の割合を通知することを特徴とする。
【００１５】
請求項９記載の発明は、請求項８記載の装置において、前記通知手段は、特定の不達理由のみ通知することを特徴とする。
【００１６】
請求項１０記載の発明は、請求項１から９のいずれか１項記載の装置において、前記不達確率算出手段は、各宛先の不達確率を時間帯ごとに算出し、前記不達確率記憶手段は、前記時間帯ごとに算出した各宛先の不達確率を記憶し、前記一定値越え記憶手段は、時間帯ごとに、一定値を越えた不達確率の宛先を記憶し、前記一定値越え判別手段は、前記入力された宛先が、送信する時間帯に前記一定値越え記憶手段に記憶されているか判別し、前記通知手段は、前記一定値越え判別手段により、前記入力された宛先が送信する時間帯の前記一定値越え記憶手段に記憶されている宛先であると判別したとき、前記一定値越え記憶手段に記憶されている旨を通知することを特徴とする。
【００１７】
請求項１１記載の発明は、請求項１０記載の装置において、前記通知手段は、他の時間帯の不達確率を通知することを特徴とする。
【００１８】
請求項１２記載の発明は、請求項１０記載の装置において、前記送信手段は、送信が失敗したとき、前記不達確率記憶手段に記憶する中で、不達となる確率が最も低い時間帯に送信時刻を変更し、変更した時刻に送信することを特徴とする。
【００１９】
請求項１３記載の発明は、請求項１から１２のいずれか１項記載の装置において、前記通知手段は、新たに前記一定値越え記憶手段に宛先が記憶されたとき、前記一定値越え記憶手段に新たに宛先が記憶された旨を通知することを特徴とする。
【００２０】
請求項１４記載の発明は、請求項１から１３のいずれか１項記載の装置において、前記宛先記憶手段は、記憶している宛先のうち、前記一定値越え記憶手段に記憶されている宛先には特定の印を付け、前記一定値越え記憶手段に記憶されている宛先が消去されたときは、前記特定の印を削除することを特徴とする。
【００２１】
請求項１５記載の発明は、宛先を記憶する宛先記憶工程と、画像データを送信する送信工程と、前記送信工程により送信する際の宛先を入力する宛先入力工程と、を備えるファクシミリ方法であって、前記宛先ごとに、不達となる確率を計算する不達確率算出工程と、前記宛先ごとに、送信した回数及び前記不達確率を記憶する不達確率記憶工程と、前記不達確率のうち、一定値を越えた不達確率の宛先を記憶する一定値越え記憶工程と、前記入力指定工程により入力された宛先が、前記一定値越え記憶工程に記憶されている宛先であるか判別する一定値越え判別工程と、前記一定値越え判別工程により、前記入力された宛先が、前記一定値越え記憶工程に記憶されている宛先であると判別したとき、前記一定値越え記憶工程に前記入力された宛先が記憶されている旨を通知する通知工程と、を備えることを特徴とするファクシミリ方法である。
【００２２】
請求項１６記載の発明は、請求項１５記載のファクシミリ方法前記通知工程は、前記入力された宛先の不達確率を通知することを特徴とする。
【００２３】
請求項１７記載の発明は、請求項１５又は１６記載の方法において、前記一定値の値を設定、変更する一定値設定変更工程を備えることを特徴とする。
【００２４】
請求項１８記載の発明は、請求項１７記載の方法において、前記一定値設定変更工程は、所定の場合にのみ設定、変更可能とすることを特徴とする。
【００２５】
請求項１９記載の発明は、請求項１８記載の方法において、前記所定の場合は、パスワードを入力した場合であることを特徴とする。
【００２６】
請求項２０記載の発明は、請求項１５から１９のいずれか１項記載の方法において、前記入力された宛先が、前記一定値越え記憶工程に記憶されている宛先であるとき、送信する画像データを記憶する不達文書保持工程を備えることを特徴とする。
【００２７】
請求項２１記載の発明は、請求項１５から２０のいずれか１項記載の方法において、前記一定値越え記憶工程は、記憶している宛先のうち、不達確率が一定値以下になった宛先を削除することを特徴とする。
【００２８】
請求項２２記載の発明は、請求項１５から２１のいずれか１項記載の方法において、前記不達確率算出工程は、宛先ごとに不達となった理由を認識し、その不達理由が、今までその宛先に送信して不達となった全不達理由のうち何割を占めるか、不達理由の割合を算出し、前記不達確率記憶工程は、宛先ごとに、前記不達理由及び不達理由の割合を記憶し、前記通知工程は、前記一定値越え判別工程により、前記入力された宛先が前記一定値越え記憶工程に記憶されている宛先であると判別したとき、前記不達理由及び不達理由の割合を通知することを特徴とする。
【００２９】
請求項２３記載の発明は、請求項２２記載の方法において、前記通知工程は、特定の不達理由のみ通知することを特徴とする。
【００３０】
請求項２４記載の発明は、請求項１５から２３のいずれか１項記載の方法において、前記不達確率算出工程は、各宛先の不達確率を時間帯ごとに算出し、前記不達確率記憶工程は、前記時間帯ごとに算出した各宛先の不達確率を記憶し、前記一定値越え記憶工程は、時間帯ごとに、一定値を越えた不達確率の宛先を記憶し、前記一定値越え判別工程は、前記入力された宛先が、送信する時間帯に前記一定値越え記憶工程に記憶されているか判別し、前記通知工程は、前記一定値越え判別工程により、前記入力された宛先が送信する時間帯の前記一定値越え記憶工程に記憶されている宛先であると判別したとき、前記一定値越え記憶工程に記憶されている旨を通知することを特徴とする。
【００３１】
請求項２５記載の発明は、請求項２４記載の方法において、前記通知工程は、他の時間帯の不達確率を通知することを特徴とする。
【００３２】
請求項２６記載の発明は、請求項２４記載の方法において、前記送信工程は、送信が失敗したとき、前記不達確率記憶工程に記憶する中で、不達となる確率が最も低い時間帯に送信時刻を変更し、変更した時刻に送信することを特徴とする。
【００３３】
請求項２７記載の発明は、請求項１５から２６のいずれか１項記載の方法において、前記通知工程は、新たに前記一定値越え記憶工程に宛先が記憶されたとき、前記一定値越え記憶工程に新たに宛先が記憶された旨を通知することを特徴とする。
【００３４】
請求項２８記載の発明は、請求項１５から２７のいずれか１項記載の方法において、前記宛先記憶工程は、記憶している宛先のうち、前記一定値越え記憶工程に記憶されている宛先には特定の印を付け、前記一定値越え記憶工程に記憶されている宛先が消去されたときは、前記特定の印を削除することを特徴とする。
【００３５】
請求項２９記載の発明は、宛先を記憶する宛先記憶処理と、画像データを送信する送信処理と、前記送信処理により送信する際の宛先を入力する宛先入力処理と、をコンピュータに実行させることを特徴とするプログラムであって、前記宛先ごとに、不達となる確率を計算する不達確率算出処理と、前記宛先ごとに、送信した回数及び前記不達確率を記憶する不達確率記憶処理と、前記不達確率のうち、一定値を越えた不達確率の宛先を記憶する一定値越え記憶処理と、前記入力指定処理により入力された宛先が、前記一定値越え記憶処理に記憶されている宛先であるか判別する一定値越え判別処理と、前記一定値越え判別処理により、前記入力された宛先が、前記一定値越え記憶処理に記憶されている宛先であると判別したとき、前記一定値越え記憶処理に前記入力された宛先が記憶されている旨を通知する通知処理と、をコンピュータに実行させることを特徴とするプログラムである。
【００３６】
請求項３０記載の発明は、請求項２９記載のプログラムにおいて、前記通知処理は、前記入力された宛先の不達確率を通知することを特徴とする。
【００３７】
請求項３１記載の発明は、請求項２９又は３０記載のプログラムにおいて、前記一定値の値を設定、変更する一定値設定変更処理をコンピュータに実行させることを特徴とする。
【００３８】
請求項３２記載の発明は、請求項３１記載のプログラムにおいて、前記一定値設定変更処理は、所定の場合にのみ設定、変更可能とすることを特徴とする。
【００３９】
請求項３３記載の発明は、請求項３２記載のプログラムにおいて、前記所定の場合は、パスワードを入力した場合であることを特徴とする。
【００４０】
請求項３４記載の発明は、請求項２９から３３のいずれか１項記載のプログラムにおいて、前記入力された宛先が、前記一定値越え記憶処理に記憶されている宛先であるとき、送信する画像データを記憶する不達文書保持処理をコンピュータに実行させることを特徴とする。
【００４１】
請求項３５記載の発明は、請求項２９から３４のいずれか１項記載のプログラムにおいて、前記一定値越え記憶処理は、記憶している宛先のうち、不達確率が一定値以下になった宛先を削除することを特徴とする。
【００４２】
請求項３６記載の発明は、請求項２９から３５のいずれか１項記載のプログラムにおいて、前記不達確率算出処理は、宛先ごとに不達となった理由を認識し、その不達理由が、今までその宛先に送信して不達となった全不達理由のうち何割を占めるか、不達理由の割合を算出し、前記不達確率記憶処理は、宛先ごとに、前記不達理由及び不達理由の割合を記憶し、前記通知処理は、前記一定値越え判別処理により、前記入力された宛先が前記一定値越え記憶処理に記憶されている宛先であると判別したとき、前記不達理由及び不達理由の割合を通知することを特徴とする。
【００４３】
請求項３７記載の発明は、請求項３６記載のプログラムにおいて、前記通知処理は、特定の不達理由のみ通知することを特徴とする。
【００４４】
請求項３８記載の発明は、請求項２９から３７のいずれか１項記載のプログラムにおいて、前記不達確率算出処理は、各宛先の不達確率を時間帯ごとに算出し、前記不達確率記憶処理は、前記時間帯ごとに算出した各宛先の不達確率を記憶し、前記一定値越え記憶処理は、時間帯ごとに、一定値を越えた不達確率の宛先を記憶し、前記一定値越え判別処理は、前記入力された宛先が、送信する時間帯に前記一定値越え記憶処理に記憶されているか判別し、前記通知処理は、前記一定値越え判別処理により、前記入力された宛先が送信する時間帯の前記一定値越え記憶処理に記憶されている宛先であると判別したとき、前記一定値越え記憶処理に記憶されている旨を通知することを特徴とする。
【００４５】
請求項３９記載の発明は、請求項３８記載のプログラムにおいて、前記通知処理は、他の時間帯の不達確率を通知することを特徴とする。
【００４６】
請求項４０記載の発明は、請求項３８記載のプログラムにおいて、前記送信処理は、送信が失敗したとき、前記不達確率記憶処理に記憶する中で、不達となる確率が最も低い時間帯に送信時刻を変更し、変更した時刻に送信することを特徴とする。
【００４７】
請求項４１記載の発明は、請求項２９から４０のいずれか１項記載のプログラムにおいて、前記通知処理は、新たに前記一定値越え記憶処理に宛先が記憶されたとき、前記一定値越え記憶処理に新たに宛先が記憶された旨を通知することを特徴とする。
【００４８】
請求項４２記載の発明は、請求項２９から４１のいずれか１項記載のプログラムにおいて、前記宛先記憶処理は、記憶している宛先のうち、前記一定値越え記憶処理に記憶されている宛先には特定の印を付け、前記一定値越え記憶処理に記憶されている宛先が消去されたときは、前記特定の印を削除することを特徴とする。
【００４９】
請求項４３記載の発明は、請求項２９から４２のいずれか１項記載のコンピュータに実行させるための処理を記録したコンピュータ読取り可能な記録媒体である。
【発明の効果】
【００５０】
本発明によれば、宛先別に不達確率を算出し、ＦＡＸ送信の宛先が指定された際に送信不達となる可能性が高い旨を通知するため、ユーザは有効な回避措置を取ることが出来る。
【発明を実施するための最良の形態】
【００５１】
以下に、本発明の実施形態に係るファクシミリ装置、ファクシミリ方法、プログラム及び記録媒体について、図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５２】
図１は、本発明の実施形態にかかるファクシミリ装置１を示す図である。図１に示すようにファクシミリ装置１は電話回線２に接続されている。
【００５３】
図２は、本実施形態に係るファクシミリ装置１の構成ブロック図である。読取り制御部５、画像メモリ６、圧縮復調部７、記憶部８、通信制御部９、ＵＩ（ユーザインターフェイス）１０、送信制御部１１から構成されている。通信制御部９は電話回線２につながっている。記憶部８は、不達確率リスト１２、アドレス帳１４、初期設定テーブル１５を保持している。不達確率リスト１２は、一定値越えリスト１３も保持している。送信制御部１１は、不達可能性判別部１６、送信部１７、不達確率算出部１８から構成されている。
【００５４】
読取り制御部５は、ＦＡＸ送信文書の画像を画像データとして読取る。画像メモリ６は、読取った画像データを蓄積する。圧縮復調部７は、送信する画像データを圧縮する。ＵＩ１０から、ＦＡＸ送信の宛先が入力される。送信部１７は、入力された宛先に、圧縮した画像データを送信する。送信は、通信制御部９を介して電話回線にデータが送り出される。
【００５５】
アドレス帳１４は、宛先記憶手段に対応するモジュールであり、複数の宛先（アドレス）を記憶する。不達確率算出部１８は、不達確率算出手段に対応するモジュールであり、ＦＡＸ送信の宛先毎に、今までの不達の確率を計算する。不達確率とは、今まで送信した回数のうち、ＦＡＸ送信失敗した確率をいう。不達確率リスト１２は、不達確率記憶手段に対応するモジュールであり、宛先毎に送信した回数と不達確率を記憶する。
【００５６】
一定値越えリスト１３は、一定値越え記憶手段に対応するモジュールであり、不達確率が一定値を越えている場合に、その宛先を記憶する。図１３は、不達確率リスト１２と一定値越えリスト１３の一例を示す図である。図１３では、一定値を５０％としているが、初期設定テーブル１５において予め設定することが出来る。一定値の設定・変更が出来るのは、特定の者がログインしたとき等、所定の場合にのみ可能とすることも考え得る。
【００５７】
送信に失敗し、不達となった画像データ（ＦＡＸ送信文書の画像データ）を、画像メモリ６に保持するか否かも、ユーザは初期設定テーブル１５に予め指定することが可能である。不達可能性判別部１６は、一定値越え判別手段に対応するモジュールであり、入力された宛先が、一定値越えリスト１３に記憶されていないか確認する。ＵＩ１０は、上述したようにＦＡＸ送信の宛先を入力する宛先指定手段に対応する他、通知手段に対応するモジュールとすることも考え得る。例えば、不達可能性判別部１６により、入力したＦＡＸ送信の宛先が一定値越えリスト１３に記憶されていると確認した場合に、その宛先の不達確率をＵＩ１０に表示し、ユーザに知らせることが可能である。
【００５８】
次に、図４のフローチャートを参照しつつ作用を説明する。図４は、本実施形態に係るＦＡＸ送信開始時の動作を示すフローチャートである。ＦＡＸ送信の際、ＵＩ１０から送信宛先が入力されると（ステップＳ１０）、送信制御部１１の不達可能性判別部１６は、その宛先が記憶部８にある一定値越えリスト１３に登録されているかどうか確認する（ステップＳ１１）。登録されていたら（ステップＳ１１／Ｙｅｓ）、ＵＩ１０にその旨を表示する等してユーザに通知する（ステップＳ１２）。
【００５９】
図３は、本実施形態に係るＦＡＸ送信終了時の動作を示すフローチャートである。ＦＡＸ送信が完了した時（ステップＳ１）、その宛先が不達確率リストに登録済みか確認する（ステップＳ２）。登録済でない場合は（ステップＳ２／Ｎｏ）、不達確率リストに宛先を登録する（ステップＳ３）。
【００６０】
宛先を登録した後（ステップＳ３）、若しくは既に宛先を登録していた場合は（ステップＳ２／Ｙｅｓ）、今までの不達の確率を計算し、不達確率リスト１２に記憶する（ステップＳ４）。計算した不達確率が、一定値を越えているか確認する（ステップＳ５）。一定値は、上述のように初期設定テーブル１５に予め設定することが出来る。また、変更等も可能である。
【００６１】
一定値を越えている場合（ステップＳ５／Ｙｅｓ）、一定値越えリスト１３にその宛先が登録されているか確認する（ステップＳ８）。登録されていた場合は（ステップＳ８／Ｙｅｓ）、そのまま終了する。登録されていない場合は（ステップＳ８／Ｎｏ）、一定値越えリスト１３にその宛先を登録し（ステップＳ９）、終了する。
【００６２】
一方、不達確率が、一定値を越えていない場合は（ステップＳ５／Ｎｏ）、一定値越えリスト１３にその宛先が登録されているか確認する（ステップＳ６）。登録されていた場合は（ステップＳ６／Ｙｅｓ）、一定値越えリスト１３からその宛先を削除し（ステップＳ７）、終了する。登録されていない場合は（ステップＳ６／Ｎｏ）、そのまま終了する。
【００６３】
上記実施形態により、ＦＡＸ送信が終了した時、不達確率を計算し、不達確率リスト１２や一定値越えリスト１３に宛先を整理して記憶するため、ユーザがＦＡＸ送信する前に、過去に送信失敗した旨を通知することにより、ユーザは何らかの送信失敗回避方法がある場合には、送信失敗を回避することが可能となる。
【００６４】
また、不達確率が一定値以下の場合は、一定値越えリスト１３から宛先を削除する（ステップＳ７）ため、一定値越えリスト１３が常に現実に合った内容となる。また、ユーザがリストをメンテナンスする必要が無い。
【００６５】
また、一定値を設定・変更できることにより、ユーザの希望にあった動作となる。また、特定の者（ユーザ）のみ設定変更できるようにすると、セキュリティが向上する。
【００６６】
次に、図５及び図６のフローチャートを参照しつつ、本発明の他の実施形態に係る動作処理を説明する。本実施形態は、不達になった理由を考慮することを特徴とする。図５は、本実施形態に係るＦＡＸ送信終了時の動作を示すフローチャートである。ＦＡＸ送信が完了した時（ステップＳ１５）、その宛先が不達確率リストに登録済みか確認する（ステップＳ１６）。登録されていない場合は（ステップＳ１６／Ｎｏ）、不達確率リスト１２に宛先と理由を登録する（ステップＳ１７）。
【００６７】
不達確率リスト１２に登録後（ステップＳ１７）、若しくは既に登録されていた場合は（ステップＳ１６／Ｙｅｓ）、次に送信結果を確認する（ステップＳ１８）。不達の場合は（ステップＳ１８／Ｎｏ）不達となった理由の割合（今までの不達の中で、今回の不達理由は何割であるか）を計算し、記憶する（ステップＳ１９）。本実施形態に係る不達理由毎の割合を記憶した不達確率リストと、一定値越えリストの一例を示す図１５を参照する。以下ステップＳ２０からステップＳ２５は上記図３のフローチャートのステップＳ５からＳ９と同様である。
【００６８】
図６は、本実施形態に係るＦＡＸ送信開始時の動作を示すフローチャートである。本実施形態は、不達理由のうち特定の不達理由、例えばユーザへの通知が必要とされる不達理由についてのみ通知することを特徴とする。
【００６９】
ＦＡＸ送信で、宛先が入力された際（ステップＳ２６）、その宛先が一定値越えリスト１３に登録されている宛先か確認する（ステップＳ２７）。なお、宛先はＵＩ１０から入力される。登録されていない場合は（ステップＳ２７／Ｎｏ）、そのまま終了する。
【００７０】
登録されている場合は（ステップＳ２７／Ｙｅｓ）、その宛先の不達確率リスト１２にある不達理由に、通知が必要な理由があるか確認する（ステップＳ２８）。必要な理由が無ければ（ステップＳ２８／Ｎｏ）、そのまま終了する。必要な理由があれば（ステップＳ２８／Ｙｅｓ）、不達理由及び理由の割合を通知する（ステップＳ２９）。通知は、例えばＵＩ１０の表示部（図示せず）に表示する。
【００７１】
上記実施形態により、ユーザは不達理由を知ることが出来、ＦＡＸ送信不達の回避を行いやすくなる。また、不達の理由によっては、通知する必要がないとユーザが感じるものもあり、そのニーズに対応することが出来る。
【００７２】
次に、図７及び図８のフローチャートを参照しつつ、本発明の他の実施形態に係る動作処理を説明する。本実施形態は、時間帯毎の不達確率を考慮することを特徴とする。図７は、本実施形態に係るＦＡＸ送信終了時の動作を示すフローチャートである。ＦＡＸ送信が完了した時（ステップＳ３０）、その宛先が、その時間帯の不達確率リストに登録済みか確認する（ステップＳ３１）。登録していない場合は（ステップＳ３１／Ｎｏ）、その時間帯の不達確率リストに宛先を登録する（ステップＳ３２）。登録している場合は（ステップＳ３１／Ｙｅｓ）次のステップＳ３３に進む。
【００７３】
次に、その時間帯での今までの不達の確率を計算し、その時間帯の不達確率リストに記憶する（ステップＳ３３）。かかる不達確率が、一定値を越えているか確認し（ステップＳ３４）、越えている場合は（ステップＳ３４／Ｙｅｓ）その時間帯の一定値越えリスト１３に登録されているか確認する（ステップＳ３７）。時間帯別の不達確率リストと一定値越えリストの一例を図１４に示す。図１４では、一定値は５０％としている。
【００７４】
登録されていない場合は（ステップＳ３７／Ｎｏ）、その時間帯の一定値越えリストに宛先を追加する（ステップＳ３８）。一方、一定値を越えており、その時間帯の一定値リスト１３登録されている場合は（ステップＳ３７／Ｙｅｓ）、そのまま終了する。
【００７５】
また、不達確率が一定値を越えていない場合は（ステップＳ３４／Ｎｏ）、その時間帯の一定値越えリストに登録されているか確認し（ステップＳ３５）、登録されている場合は（ステップＳ３５／Ｙｅｓ）、その時間帯の一定値越えリストから削除する（ステップＳ３６）。
【００７６】
図８は、本実施形態に係るＦＡＸ送信開始時の動作を示すフローチャートである。まず、ＦＡＸ送信の宛先が入力される（ステップＳ４０）。かかる宛先が、その時間帯の一定値越えリストに登録済であるか確認する（ステップＳ４１）。登録されている場合は（ステップＳ４１／Ｙｅｓ）、登録されている旨と、他の時間帯の不達確率を通知する（ステップＳ４２）。
【００７７】
通知は、例えばＵＩ１０の表示部（図示せず）に表示する等して通知する。図１４は、時間帯別の不達リストと一定値越えリストの一例であるが、例えば時間帯Ａに宛先ＢにＦＡＸ送信をしようとし、宛先Ｂを入力した場合、宛先Ｂが一定値リストに登録されている旨と、他の時間帯Ｂの不達確率を通知する。時間帯Ｂにおいては、宛先Ｂの不達確率は１０％であるため、ユーザは時間帯Ｂに送信時間を変更することで、ＦＡＸ文書不達の可能性を低くすることが出来る。
【００７８】
上記実施形態により、時間帯ごとの不達確率を知ることが出来、時間帯によって不達となるかそうでないかの差が激しい宛先にも対応しやすくなる。他の時間帯の不達確率も通知されるため、今後のＦＡＸ送信を行う時刻の目安となる。また、今回の送信でも、ユーザが送信時刻を検討する材料となる。
【００７９】
次に、図９のフローチャートを参照しつつ、本発明の他の実施形態に係る作用を説明する。本実施形態は、一定値越えリスト１３に載っている宛先に送信する場合に、時間帯毎の不達確率を考慮して、ＦＡＸ送信する時間を決定することを特徴とする。
【００８０】
図９は、本実施形態に係るＦＡＸ送信開始時の動作を示すフローチャートである。一定値越えリスト１３に載っている宛先にＦＡＸ送信を行う（ステップＳ４５）。１回目の送信が失敗したとき（ステップＳ４６）、その宛先について、最も不達確率が低い時間帯が現在と同じであるか確認する（ステップＳ４７）。その時間帯が現在と同じならば（ステップＳ４７／Ｙｅｓ）、そのまま通常通りの処理を続ける（ステップＳ４８）。
【００８１】
一方、最も不達確率が低い時間帯が、現在とは違う時間帯の場合（ステップＳ４７／Ｎｏ）、その最も不達確率が低い時間帯に、送信時刻を変更する（ステップＳ４９）。なお、最も不達確率が低い時間帯が複数ある場合は、現在から１番近い時間帯とする。
【００８２】
上記実施形態により、不達確率の最も低い時刻に変更するため、ＦＡＸ送信が成功する可能性が高くなる。また、ユーザが特に作業（時間帯の指定等）をしなくて良いので、ユーザの手間が減る。
【００８３】
次に、図１０のフローチャートを参照しつつ、本発明の他の実施形態に係る作用を説明する。本実施形態はＦＡＸ送信後、その宛先を一定値越えリスト１３に追加した場合に、その旨を通知することを特徴とする。
【００８４】
図１０は、本実施形態に係るＦＡＸ送信終了時の動作を示すフローチャートである。ＦＡＸ送信が完了した時（ステップＳ５０）、その宛先が不達確率リスト１２に登録済みか確認する（ステップＳ５１）。登録していない場合は（ステップＳ５１／Ｎｏ）、不達確率リスト１２に宛先を登録する（ステップＳ５２）。登録されていた場合は（ステップＳ５１／Ｙｅｓ）、そのまま次のステップＳ５３に進む。
【００８５】
今までの不達の確率を計算し、不達確率リスト１２に記憶する（ステップＳ５３）。計算した確率が、一定値を越えているか確認し（ステップＳ５４）、越えている場合（ステップＳ５４／Ｙｅｓ）、一定値越えリスト１３に登録されているか確認する（ステップＳ５７）。登録されていた場合は（ステップＳ５７／Ｙｅｓ）、そのまま終了する。
【００８６】
一定値越えリスト１３に登録されていない場合は（ステップＳ５７／Ｎｏ）、一定値越えリスト１３にその宛先を登録する（ステップＳ５８）。また、ユーザに一定値越えリスト１３に追加した旨を通知し、終了する（ステップＳ５９）。
【００８７】
不達確率が一定値以下の場合は、一定値越えリスト１３にその宛先が登録されているか確認し、登録されていた場合は（ステップＳ５５／Ｙｅｓ）一定値越えリスト１３からその宛先を削除し（ステップＳ５６）、終了する。一方、登録されていなかったら（ステップＳ５５／Ｎｏ）、そのまま終了する。
【００８８】
上記実施形態により、ＦＡＸ送信後に、その宛先が一定値越えリスト１３に登録されたことを知ることが出来、すぐに何らかの対応を取ることができる。後日、宛先を入力した後に一定値越えリスト１３に登録されていることを知り、不達回避の対応があるとしても、その対応に時間がかかる場合もあるため、ユーザとしては一定値越えリスト１３に登録されたことをなるべく早く知りたいというニーズがある。
【００８９】
次に、図１１を参照しつつ本発明の他の実施形態に係る作用について説明する。本実施形態は、一定値越えリスト１３に登録された宛先がアドレス帳に載っている場合に、特定の印を付けることを特徴とする。
【００９０】
図１１は、本実施形態に係るＦＡＸ送信終了時の動作を示すフローチャートである。ＦＡＸ送信が完了した時（ステップＳ６０）、その宛先が不達確率リスト１２に登録済みか確認する（ステップＳ６１）。登録していない場合は（ステップＳ６１／Ｎｏ）、不達確率リスト１２にその宛先を登録する（ステップＳ６２）。
【００９１】
その後、今までの不達の確率を計算し、不達確率リスト１２に記憶する（ステップＳ６３）。計算した確率が、一定値を越えている場合（ステップＳ６４／Ｙｅｓ）、一定値越えリスト１３に登録されているか確認する（ステップＳ６９）。登録されている場合は（ステップＳ６９／Ｙｅｓ）、そのまま終了する。登録されていない場合は（ステップＳ６９／Ｎｏ）、一定値越えリスト１３にその宛先を追加登録する（ステップＳ７０）。そして、その宛先がアドレス帳に載っているか確認し、載っている場合は（ステップＳ７１／Ｙｅｓ）、アドレス帳の宛先に特定の印をつける（ステップＳ７２）。特定の印とは、例えばマークを付けたり、ＵＩ１０に表示する際に色を変更する等が考え得る。載っていない場合は（ステップＳ７１／Ｎｏ）、そのまま終了する。
【００９２】
一方、不達確率が一定値以下の場合（ステップＳ６４／Ｎｏ）、一定値越えリスト１３に登録されているか確認する（ステップＳ６５）。登録されている場合は（ステップＳ６５／Ｙｅｓ）、一定値越えリスト１３からその宛先を削除する（ステップＳ６６）。そして、その宛先がアドレス帳に載っているか確認する（ステップＳ６７）。
【００９３】
アドレス帳に載っている場合は（ステップＳ６７／Ｙｅｓ）、アドレス帳の宛先の印を削除する（ステップＳ６８）。載っていない場合は（ステップＳ６７／Ｎｏ）、そのまま終了する。なお、一定値越えリスト１３に登録されていない場合は（ステップＳ６５／Ｎｏ）、そのまま終了する。
【００９４】
上記実施形態により、アドレス帳を使ってＦＡＸ送信先の宛先を指定する場合は、不達確率が一定値を越える宛先に印を付けているため、アドレス帳を見ただけで不達確率が高いことを知ることが出来る。また、ＦＡＸ送信を行う際でなくとも、アドレス帳を見れば不達確率の高い宛先を知ることができるため、事前に何らかの対応を取ることが出来る。
【００９５】
図１２を参照しつつ、本発明の他の実施形態に係る作用を説明する。本実施形態は、不達文書の保持を行うことを特徴とする。図１２は、本実施形態に係るＦＡＸ送信開始時の動作を示すフローチャートである。ＦＡＸ送信が不達となった時（ステップＳ７５）、不達文書保持設定を確認する（ステップＳ７６）。ユーザは、予め不達だった場合に文書を保持するかどうか設定することができる。例えば、初期設定テーブル１５で不達文書保持設定ＯＮにすることが考え得る。次に、設定がＯＮの場合は（ステップＳ７６）、不達となった文書を画像メモリ６に保持し（ステップＳ７８）、終了する。
【００９６】
一方、不達文書保持設定がＯＦＦの場合は（ステップＳ７６／Ｙｅｓ）、ＦＡＸ送信の宛先が一定値越えリスト１３に登録されているか確認する（ステップＳ７７）。登録されている場合は（ステップＳ７７／Ｙｅｓ）、不達文書を画像メモリ６に保持し（ステップＳ７７）、終了する。登録されていなければ（ステップＳ７７／Ｎｏ）、不達文書は保持せずに（ステップＳ７９）そのまま終了する。
【００９７】
上記実施形態により、不達文書保持設定がなされていないときであっても、不達確率の高い宛先への送信であった場合は、ＦＡＸ送信文書を保持するため、ユーザによる再送信動作が簡単になる。
【００９８】
尚、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、上述した各実施形態とは異なる構成のシステム等で用い、そこのＣＰＵで上記プログラムを実行させることにより、本発明と実質的に同じ効果を得ることができる。
【００９９】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【０１００】
【図１】本発明の実施形態に係るファクシミリ装置１が電話回線２と接続している様子を示す図である。
【図２】本発明の実施形態に係るファクシミリ装置１の構成ブロック図である。
【図３】本発明の実施形態に係るＦＡＸ送信終了時の動作を示すフローチャートである。
【図４】本発明の実施形態に係るＦＡＸ送信開始時の動作を示すフローチャートである。
【図５】本発明の実施形態に係るＦＡＸ送信終了時の動作を示すフローチャートである。
【図６】本発明の実施形態に係るＦＡＸ送信開始時の動作を示すフローチャートである。
【図７】本発明の実施形態に係るＦＡＸ送信終了時の動作を示すフローチャートである。
【図８】本発明の実施形態に係るＦＡＸ送信開始時の動作を示すフローチャートである。
【図９】本発明の実施形態に係るＦＡＸ送信開始時の動作を示すフローチャートである。
【図１０】本発明の実施形態に係るＦＡＸ送信終了時の動作を示すフローチャートである。
【図１１】本発明の実施形態に係るＦＡＸ送信終了時の動作を示すフローチャートである。
【図１２】本発明の実施形態に係るＦＡＸ送信開始時の動作を示すフローチャートである。
【図１３】本発明の実施形態に係る不達確率リスト１２と一定値越えリスト１３の一例を示す図である。
【図１４】本発明の実施形態に係る時間帯別の不達確率リストと一定値越えリストの一例を示す図である。
【図１５】本発明の実施形態に係る不達理由ごとの割合を記憶した不達確率リストと、一定値越えリストの一例を示す図である。
【符号の説明】
【０１０１】
１    ファクシミリ装置
２    電話回線
５    読取り制御部
６    画像メモリ
７    圧縮復調部
８    記憶部
９    通信制御部
１０    ＵＩ
１１    送信制御部
１２    不達確率リスト
１３    一定値越えリスト
１４    アドレス帳
１５    初期設定テーブル
１６    不達可能性判別部
１７    送信部
１８    不達確率算出部
【図１】
2008022279.tif 000003
【図２】
2008022279.tif 000004
【図３】
2008022279.tif 000005
【図４】
2008022279.tif 000006
【図５】
2008022279.tif 000007
【図６】
2008022279.tif 000008
【図７】
2008022279.tif 000009
【図８】
2008022279.tif 000010
【図９】
2008022279.tif 000011
【図１０】
2008022279.tif 000012
【図１１】
2008022279.tif 000013
【図１２】
2008022279.tif 000014
【図１３】
2008022279.tif 000015
【図１４】
2008022279.tif 000016
【図１５】
2008022279.tif 000017